(57)【要約】【課題】  対象物１２ａ〜１２ｈについて作業者がメンテナンス作業を行うメンテナンス作業場２と、依頼者が待機する依頼者待機場３とが離隔したメンテナンス作業提供場１で使用される画像処理装置で、メンテナンス時における画像データを取得などする。【解決手段】  撮像装置１１ａ〜１１ｈでは、メンテナンス作業中においてメンテナンス作業に関する画像のデータを取得し、取得した画像のデータを表示装置２１ａ〜２１ｈに対して送信し、請求書添付用の画像データを記録する指示入力を受け付けると指示入力に応じたタイミングで取得した画像のデータを請求書添付用の画像データとして記録する。表示装置では、撮像装置から送信された画像のデータを受信し、受信した画像のデータを依頼者に対して画面に表示出力する。【選択図】  図１
2005255115.tif 000002
【特許請求の範囲】
【請求項１】
メンテナンス作業の対象物について作業者がメンテナンス作業を行うメンテナンス作業場と、当該対象物のメンテナンス作業を依頼した依頼者が待機する依頼者待機場とが離隔したメンテナンス作業提供場で使用される画像処理装置であって、
メンテナンス作業場に設けられる撮像装置を有して構成され、内部或いは外部の表示装置が依頼者待機場に設けられ或いは依頼者により所持され、
撮像装置は、メンテナンス作業中においてメンテナンス作業に関する画像のデータを取得する画像データ取得手段と、
請求書添付用の画像データを記録する指示入力を受け付ける指示入力受付手段と、
指示入力受付手段により受け付けられた指示入力に応じたタイミングで画像取得手段により取得された画像のデータを請求書添付用の画像データとして記録する請求書添付用画像データ記録手段と、
画像データ取得手段により取得された画像のデータを表示装置に対して送信する画像データ送信手段と、を備え、
表示装置は、撮像装置の画像データ送信手段により送信された画像のデータを受信する画像データ受信手段と、
画像データ受信手段により受信された画像のデータを依頼者に対して画面に表示出力する表示出力手段と、を備えた、
ことを特徴とする画像処理装置。
【発明の詳細な説明】
【技術分野】
【０００１】
本発明は、自動車のメンテナンスにおいて使用される画像処理装置に関し、特に、メンテナンス時における交換部品などの画像データを取得することが可能であり、このような画像データやその写真を請求書に添付することを可能とする画像処理装置に関する。
【背景技術】
【０００２】
図３には、自動車メンテナンス業を行う者の店舗の様子の一例を示してある。なお、図３では、説明の便宜上から、本発明の一実施例に係る図１に示されるのと同様なものについては同一の符号を付して示してあるが、本発明を限定する意図は全く無い。
図３に示されるように、自動車メンテナンス業の店舗１は、自動車の修理や部品交換を行うための整備工場２と、作業が終わるまで顧客が待機する待合室３から構成されている。また、整備工場２と待合室３との間には、当該整備工場２と当該待合室３との仕切りとして使用される窓４が設けられている。
顧客は、整備工場２に自己の自動車１２ａ〜１２ｈを持ち込み、待合室３において、自己の自動車１２ａ〜１２ｈのメンテナンス状況や作業員による作業状況を窓４を通して確認する。
なお、上記従来技術は、発明者が既に知られていることと認識して記述したものであるが、適切な文献が見出せなかったので、従来技術文献情報の記載をしていない。
【発明の開示】
【発明が解決しようとする課題】
【０００３】
上述のように、一般的な自動車メンテナンス業の店舗１では、整備工場２と待合室３とが分離されていて、顧客は、自己の自動車１２ａ〜１２ｈのメンテナンスが終了するまで、窓４を通して自己の自動車１２ａ〜１２ｈの作業を眺めて待機する。
しかしながら、このような場合には、顧客にとって、自己の自動車１２ａ〜１２ｈが遠い場所でメンテナンスされている状況などにおいては、作業の状況などを目視することができずにメンテナンスの詳細な内容を見ることができないことが多くあった。そして、顧客は、最後に発行される請求書により作業内容を確認することとなるが、自動車部品については外見からは修理や交換された部分が非常にわかりにくいことが多いため、メンテナンス終了時の請求金額や通知される作業内容と実際に行われた作業内容とが合致するかどうかなどを判断することが非常に困難であった。
本発明は、このような従来の事情に鑑み為されたもので、メンテナンス時における交換部品などの画像データを取得することが可能な画像処理装置を提供することを目的とし、例えば、このような画像データやその写真を請求書に添付することを可能とする。
【課題を解決するための手段】
【０００４】
上記目的を達成するため、本発明に係る画像処理装置では、メンテナンス作業の対象物について作業者がメンテナンス作業を行うメンテナンス作業場と、当該対象物のメンテナンス作業を依頼した依頼者が待機する依頼者待機場とが離隔したメンテナンス作業提供場で使用される。また、本発明に係る画像処理装置は、メンテナンス作業場に設けられる撮像装置を有して構成される。また、本発明に係る画像処理装置の内部或いは外部の表示装置が、依頼者待機場に設けられる或いは依頼者により所持される。そして、次のような処理が行われる。
すなわち、撮像装置では、画像データ取得手段が、メンテナンス作業中において、メンテナンス作業に関する画像のデータを取得する。また、指示入力受付手段が、請求書添付用の画像データを記録する指示入力を受け付ける。また、請求書添付用画像データ記録手段が、指示入力受付手段により受け付けられた指示入力に応じたタイミングで画像取得手段により取得された画像のデータを請求書添付用の画像データとして記録する。また、画像データ送信手段が、画像データ取得手段により取得された画像のデータを表示装置に対して送信する。
表示装置では、画像データ受信手段が、撮像装置の画像データ送信手段により送信された画像のデータを受信する。また、表示出力手段が、画像データ受信手段により受信された画像のデータを依頼者に対して画面に表示出力する。
【０００５】
従って、対象物のメンテナンス作業時における作業状況や修理或いは交換部品などの画像データを撮像装置により取得して、当該画像データの画像を表示装置により依頼者に対して表示出力することが可能である。これにより、メンテナンス作業の状況などを依頼者待機場などに存在する依頼者により画像として視覚的に確認することができ、依頼者による信頼性を高めることなどができる。
また、撮像装置に対するメンテナンス作業員などからの指示入力に応じたタイミングで取得された画像のデータを請求書添付用の画像データとして記録することが可能であり、当該請求書添付用の画像データやその写真を請求書に添付することを可能とすることができる。これにより、請求書に記載された作業内容や修理或いは交換部品の項目などとともに、実際のメンテナンス作業の状況や修理或いは交換部品などを依頼者により画像として視覚的に確認することができ、依頼者による信頼性を高めることなどができる。
【０００６】
ここで、メンテナンス作業の対象物としては、例えば、自動車などの種々なものが用いられてもよい。
また、メンテナンス作業としては、種々な作業が用いられてもよく、例えば、修理、部品交換、点検などの作業を用いることができる。
また、メンテナンス作業場や、依頼者待機場や、これらの場を有するメンテナンス作業提供場としては、それぞれ、種々な場所が用いられてもよい。
また、メンテナンス作業場と依頼者待機場とが離隔した態様としては、種々な態様が用いられてもよく、例えば、これらの場が別室となっている態様や、これらの場の間に窓や壁などの仕切りが設けられる態様が用いられ、例えば、依頼者はメンテナンス作業場には入らずにメンテナンス作業場における自己の対象物のメンテナンス作業の状況を直接的に見られず、依頼者は依頼者待機場からも当該メンテナンス作業の状況を十分には見ることができないような態様を用いることができる。
【０００７】
また、表示装置は、例えば、画像処理装置を構成する内部の装置、或いは、画像処理装置とは外部の装置として構成される。また、表示装置は、例えば、依頼者待機場に設けられる、或いは、例えば携帯可能な装置として構成されて、依頼者により所持される。なお、依頼者により所持される態様としては、例えば、依頼者の持ち物である態様が用いられてもよく、或いは、依頼者に対して貸し出されるような態様が用いられてもよい。
また、撮像装置の画像データ取得手段としては、例えば、カメラなどを用いて構成することができる。
また、撮像装置の画像データ取得手段により取得されるメンテナンス作業に関する画像のデータとしては、種々な画像のデータが用いられてもよく、例えば、メンテナンス作業の状況や、対象物や、修理や交換される部品などの画像のデータを用いることができる。
また、撮像装置の画像データ取得手段により取得される画像のデータとしては、例えば、動画像のデータが用いられてもよく、或いは、静止画像のデータが用いられてもよい。
【０００８】
また、指示入力受付手段により請求書添付用の画像データを記録する指示の入力を受け付ける態様としては、種々な態様が用いられてもよく、例えば、マイクによる音声入力や、接点による入力や、赤外線などの無線信号による入力や、ネットワークを経由した信号の入力などを受け付ける態様を用いることができる。例えば、メンテナンス作業員による音声入力や、メンテナンス作業員によるボタンの１操作（１クリックなど）による入力や、メンテナンス作業の状況を直接的に或いは撮像装置により取得される画像により見ているメンテナンス作業員以外の者からのネットワークを介した入力のように、メンテナンス作業員に負担のかからない入力を用いると、作業中のメンテナンス作業員に負担をかけずに、請求書に添付する重要な場面などの画像のデータを記録することができる。
また、指示入力受付手段により受け付けられた指示入力に応じたタイミングとしては、例えば、指示入力が受け付けられたときのタイミング或いはその付近のタイミングが用いられ、或いは、指示入力の内容により指定されるタイミングが用いられてもよい。
【０００９】
また、請求書添付用画像データ記録手段としては、例えば、画像データを記録（記憶）するメモリを用いて構成することができる。また、メモリとしては、例えば、撮像装置（本体）と着脱可能であり持ち運びが可能なカード状のメモリなどを用いることもできる。
また、撮像装置と表示装置との間の通信としては、例えば、有線の通信が用いられてもよく、或いは、無線の通信が用いられてもよい。また、撮像装置と表示装置との間の通信としては、例えば、ＬＡＮなどのネットワークを介した通信が用いられてもよい。
また、表示出力手段としては、例えば、画像のデータを表示出力するディスプレイ画面や液晶画面などを用いて構成することができる。
【００１０】
以下で、更に、本発明に係る構成例を示す。
一構成例として、撮像装置の画像データ取得手段は、メンテナンス作業中において、メンテナンス作業に関するリアルタイムの画像のデータを取得する。また、撮像装置の画像データ送信手段は、画像データ取得手段により取得されたリアルタイムの画像のデータを表示装置に対して送信する。
従って、メンテナンス作業に関するリアルタイムの画像データを表示装置により依頼者に対して表示することができる。
一構成例として、表示装置は、画像データの取得要求の入力を受け付ける画像データ取得要求入力受付手段と、画像データ取得要求入力受付手段により入力が受け付けられた画像データの取得要求を撮像装置に対して送信する画像データ取得要求送信手段と、を備える。撮像装置は、表示装置の画像データ取得要求送信手段により送信された画像データの取得要求を受信する画像データ取得要求受信手段を備える。また、撮像装置の画像データ送信手段は、画像データ取得要求受信手段により画像データの取得要求が受信されたことに応じて、画像データ取得手段により取得された画像のデータを表示装置に対して送信する。
従って、表示装置において、撮像装置から画像データの送信を開始することを指示することができる。
【００１１】
一構成例として、撮像装置或いは表示装置或いは他の装置に、撮像装置の請求書添付用画像データ記録手段に記録された請求書添付用の画像データを取得する請求書添付用画像データ取得手段と、請求書添付用画像データ取得手段により取得された請求書添付用の画像データ或いは当該画像データから得られる写真を添付したメンテナンス作業の請求書を発行する請求書発行手段と、を備えた。
従って、例えば自動的に、請求書添付用の画像データ或いは当該画像データから得られる写真を添付したメンテナンス作業の請求書を発行することができる。
ここで、他の装置としては、例えば、請求書発行装置などを用いることができる。
また、請求書添付用画像データ取得手段としては、例えば、着脱可能な請求書添付用画像データ記録手段と接続されて当該請求書添付用画像データ記録手段に記録された請求書添付用の画像データを取得する構成が用いられてもよく、或いは、ネットワークを介して撮像装置と通信接続されて、当該撮像装置の請求書添付用画像データ記録手段に記録された請求書添付用の画像データを取得する構成が用いられてもよい。
【００１２】
一構成例として、撮像装置或いは表示装置或いは他の装置に、撮像装置の画像データ取得手段により取得された画像のデータに含まれる所定の画像部分のデータを加工する画像データ加工手段を備えた。
ここで、画像データ加工手段は、例えば、或る依頼者により依頼されたメンテナンス作業に関する画像のデータに含まれる他の依頼者により依頼されたメンテナンス作業に関する画像部分のデータを他のデータへ変更する。当該他のデータとしては、種々なデータが用いられてもよく、例えば、塗りつぶしのデータや、無データや、置き換えのための所定のデータなどを用いることができる。
また、画像データ加工手段により加工された画像のデータは、例えば、撮像装置から送信され、或いは、撮像装置により記録され、或いは、表示装置により表示出力され、或いは、他の装置により処理される。
【発明の効果】
【００１３】
以上説明したように、本発明に係る画像処理装置によると、メンテナンス作業の対象物について作業者がメンテナンス作業を行うメンテナンス作業場と、当該対象物のメンテナンス作業を依頼した依頼者が待機する依頼者待機場とが離隔したメンテナンス作業提供場で使用され、メンテナンス作業場に設けられる撮像装置では、メンテナンス作業中においてメンテナンス作業に関する画像のデータを取得し、取得した画像のデータを表示装置に対して送信し、請求書添付用の画像データを記録する指示入力を受け付けると当該指示入力に応じたタイミングで取得した画像のデータを請求書添付用の画像データとして記録し、また、依頼者待機場に設けられる或いは依頼者により所持される表示装置では、撮像装置から送信された画像のデータを受信して、受信した画像のデータを依頼者に対して画面に表示出力するようにしたため、対象物のメンテナンス作業時における作業状況や修理或いは交換部品などの画像データを撮像装置により取得して表示装置により依頼者に対して表示出力することが可能であり、また、撮像装置に対するメンテナンス作業員などからの指示入力に応じたタイミングで取得された画像のデータを請求書添付用の画像データとして記録することが可能であり、当該請求書添付用の画像データやその写真を請求書に添付することが可能である。
【発明を実施するための最良の形態】
【００１４】
本発明に係る一実施例を図面を参照して説明する。
なお、本実施例で言う画像としては、例えば、時間的に連続した複数のフレームから成る映像のように動画像が用いられてもよく、或いは、１フレームから成る静止画像が用いられてもよい。
図１には、本発明の一実施例に係る画像伝送装置が設置された、自動車メンテナンス業を行う者の店舗の様子の一例を示してある。
本例の店舗１は、自動車の修理や部品交換を行うための整備工場２と、作業が終わるまで顧客が待機する待合室３から構成されている。また、整備工場２と待合室３との間には、当該整備工場２と当該待合室３との仕切りとして使用される窓４が設けられている。
顧客は、整備工場２に自己の自動車１２ａ〜１２ｈを持ち込み、待合室３において、自己の自動車１２ａ〜１２ｈのメンテナンス状況や作業員による作業状況を窓４を通して確認することが可能である。
【００１５】
また、本例の店舗１では、整備工場２に複数（本例では、８個）の監視カメラ装置（ネットワークカメラ装置）１１ａ〜１１ｈが設置されており、待合室３に複数（本例では、８個）の監視モニタ装置２１ａ〜２１ｈが設置されている。本例では、それぞれの監視カメラ装置１１ａ〜１１ｈとそれぞれの監視モニタ装置２１ａ〜２１ｈとが１対１で対応しており、それぞれ対応する１個の監視カメラ装置１１ａ〜１１ｈと１個の監視モニタ装置２１ａ〜２１ｈとがネットワークを介して接続されて画像伝送装置が構成されている。また、本例では、それぞれの監視カメラ装置１１ａ〜１１ｈはＷｅｂサーバ機能を内蔵したサーバ側の装置として構成されており、それぞれの監視モニタ装置２１ａ〜２１ｈはクライアント側の装置として構成されている。
また、本例では、それぞれの監視カメラ装置１１ａ〜１１ｈにより撮像することが可能なところに自動車を整備するための領域（自動車整備領域）が設けられており、監視カメラ装置１１ａ〜１１ｈと同数（本例では、８個）の自動車整備領域が設けられていて、最大で当該同数（本例では、８個）の自動車１２ａ〜１２ｈの整備を行うことが可能となっている。
【００１６】
また、それぞれの監視モニタ装置２１ａ〜２１ｈは、本例では、モニタ画面と、顧客（ユーザ）などにより操作されるクライアント操作部とを接続して構成されている。
それぞれの監視モニタ装置２１ａ〜２１ｈでは、例えば、顧客などにより所定の操作がクライアント操作部において行われることにより、画像を取得するための要求（画像取得要求）をネットワークを介して対応する監視カメラ装置１１ａ〜１１ｈに対して送信する。
また、当該画像取得要求に応じて当該対応する監視カメラ装置１１ａ〜１１ｈからそれぞれの監視モニタ装置２１ａ〜２１ｈに対して画像データが送信される場合には、それぞれの監視モニタ装置２１ａ〜２１ｈでは、それぞれに対応した監視カメラ装置１１ａ〜１１ｈからの画像がモニタ画面に映し出される。
【００１７】
図２には、本例の監視カメラ装置１１ａの構成例及び不揮発性メモリ４１の一例を示してある。なお、本例では、それぞれの監視カメラ装置１１ａ〜１１ｈの構成や動作は同様である。
本例の監視カメラ装置１１ａ〜１１ｈは、レンズ３１と、Ａ／Ｄ（Analog to Digital）コンバータ３２と、画像圧縮回路３３と、各種の処理や制御を実行するＣＰＵ（Central Processing Unit）３４と、データを記憶するＲＡＭ（Random Access Memory）３５と、有線ＬＡＮ（Local Area Network）或いは無線ＬＡＮのネットワークと接続されるＬＡＮドライバ３６と、マイク３７と、接点３８と、赤外線部３９と、不揮発性メモリ接続部４０を備えている。
また、本例の不揮発性メモリ４１は、例えば、監視カメラ装置１１ａの不揮発性メモリ接続部４０に対して着脱可能なコンパクトフラッシュ（登録商標）や磁気ディスク等から構成されており、当該不揮発性メモリ接続部４０に接続することや、当該不揮発性メモリ接続部４０から取り出すことが可能である。
【００１８】
本例の監視カメラ装置１１ａにより行われる内部処理の一例を示す。
レンズ３１は、撮像対象となるものの画像（例えば、映像）を光学的に取り込んで、取り込んだアナログ画像信号ａをＡ／Ｄコンバータ３２へ出力する。本例では、整備対象となる自動車１２ａやその作業状況やその交換部品などが、撮像対象となる。
Ａ／Ｄコンバータ３２は、レンズ３１から入力されるアナログ画像信号ａをＡ／Ｄ変換によりデジタル画像データ（デジタル画像信号）へ変換して画像圧縮回路３３へ出力する。
画像圧縮回路３３は、Ｍｏｔｉｏｎ−ＪＰＥＧ画像圧縮方式或いはＭＰＥＧ画像圧縮方式などを用いて、Ａ／Ｄコンバータ３２から入力されるデジタル画像データを圧縮変換してＣＰＵ３４へ出力する。当該圧縮変換されたデジタル画像データはＣＰＵ３４を経由してＲＡＭ３５に一時保存される。
【００１９】
当該一時保存されたデジタル画像データは、待合室３に設置されたモニタ画面に接続されたクライアント操作部（監視モニタ装置２１ａに対応するもの）からネットワーク経由にて画像取得要求が監視カメラ装置１１ａに対して送信されると、これに応じて、ネットワークを経由して当該監視モニタ装置２１ａのクライアント操作部へ送信される。
具体的には、監視カメラ装置１１ａでは、対応する監視モニタ装置２１ａからの画像取得要求がネットワークを介してＬＡＮドライバ３６により受信されると、ＣＰＵ３４が、ＬＡＮドライバ３６から受信した画像取得要求を解析して、当該解析結果に基づいて、ＲＡＭ３５に蓄積された圧縮画像データを当該監視モニタ装置２１ａに対して送信する。当該圧縮画像データは、ＣＰＵ３４を経由して、ＬＡＮドライバ３６からクライアント側である監視モニタ装置２１ａに対して送信される。これにより、本例では、自動車１２ａのメンテナンス時の画像（例えば、ライブ映像）を監視カメラ装置１１ａから監視モニタ装置２１ａへ送信することが可能である。クライアント側のクライアント操作部では、監視カメラ装置１１ａから送信された圧縮画像データを内部でＮＴＳＣ（National Television System Committee standard）形式の信号へ変換してモニタ画面に出力し、これにより、顧客はメンテナンス作業の進捗状況を見ることが可能である。
【００２０】
また、マイク３７は、自動車１２ａのメンテナンスを行う作業員（メンテナンス作業員）などから発生られる音声の情報を入力することが可能である。
また、接点３８は、メンテナンス作業員などにより所持される機器との接点接触により指示などの情報を入力することが可能である。
また、赤外線部３９は、メンテナンス作業員などにより所持される赤外線リモコンから発せられる赤外線信号の情報を入力することが可能である。
また、メンテナンス作業員などは、ネットワークを経由して、他の装置から監視カメラ装置１１ａへ指示などの情報を送信することが可能である。
【００２１】
ＣＰＵ３４は、マイク３７により入力された音声情報を取り込んで解析（例えば、音声認識）することや、接点３８により入力された情報を取り込んで解析することや、赤外線部３９により入力された情報を取り込んで解析することや、ネットワークを経由してＬＡＮドライバ３６により入力された情報を取り込んで解析することを行って、これらの解析結果に基づいて、例えば、ＲＡＭ３５に蓄積された圧縮画像データを読み出して不揮発性メモリ接続部４０に接続された不揮発性メモリ４１へ保存するなどの処理を実行する。
本例では、メンテナンス作業員が、整備対象となる自動車１２ａについて、修理や交換部品を行う必要が発生した場合に、マイク３７や接点３８や赤外線部３９により所定の指示情報を入力する。監視カメラ装置１１ａは、当該指示情報を受け付けると、ＲＡＭ３５に蓄積された圧縮画像データを接続された不揮発性メモリ４１へ保存する。
【００２２】
次に、本例の監視カメラ装置１１ａと監視モニタ装置２１ａから成る画像伝送装置を用いて行われる具体的なメンテナンス作業の様子の一例を示す。なお、本例では、他の監視カメラ装置１１ｂ〜１１ｈと他の監視モニタ装置２１ｂ〜２１ｈから成る他の画像伝送装置を用いて行われるメンテナンス作業の様子についても、同様である。
まず、自動車のメンテナンス作業を依頼する際には、依頼者である顧客は、整備工場２内に自己の自動車１２ａを持ち込んで、作業が終了するまで待合室３で待機する。この際、整備工場２内には各メンテナンス場所（各自動車整備領域）毎に監視カメラ装置１１ａ〜１１ｈが設置されており、各監視カメラ装置１１ａ〜１１ｈは各自動車１２ａ〜１２ｈについての作業状況をリアルタイムで取り続けている。
【００２３】
そして、監視モニタ装置２１ａからの画像取得要求に応じて、監視カメラ装置１１ａは、自動車メンテナンス作業状況の画像（例えば、ライブ映像）を絶えず、画像圧縮されたデジタル画像データとして、ネットワーク経由で待合室３の当該監視モニタ装置２１ａへ配信する。これにより、整備対象となる自動車１２ａを整備してもらっている顧客は、当該監視モニタ装置２１ａのモニタ画面に映し出される画像を見ることで、自己の自動車１２ａについての作業状況を詳しく確認することができる。
また、メンテナンス作業員などは、メンテナンス時に、交換部品等が発生した場合のように必要に応じて、音声認識や、外部接点入力や、赤外線リモコンや、ネットワーク経由で指示を行って、監視カメラ装置１１ａにより画像圧縮されたデジタル画像データを不揮発性メモリ４１に記録して保存させることができる。
【００２４】
また、メンテナンス作業員或いは明細書作成者などは、作業の終了後に、不揮発性メモリ４１に保存された作業状況や交換部品などに関する圧縮画像データ或いはその写真を顧客への請求書に添付することができる。
具体的には、例えば、コンパクトフラッシュ（登録商標）のような着脱可能で持ち運びができる不揮発性メモリ４１を監視カメラ装置１１ａに取り付けて作業状況や交換部品などを撮像し、その後、請求書作成者が監視カメラ装置１１ａから不揮発性メモリ４１を取り外して、当該不揮発性メモリ４１のカードを請求書作成用のＰＣ（パーソナルコンピュータ）端末装置（請求書発行装置）に取り付ける。当該ＰＣ端末装置は、不揮発性メモリ４１が取り付けられると、当該不揮発性メモリ４１に記憶された画像データを取得して、当該取得した画像データを写真として、作成される請求書に貼り付けて、印刷出力する。
このように、メンテナンス業の者は、請求書作成時に、整備した自動車１２ａについて交換部品の交換前の写真などを載せることにより、作業内容を顧客に視覚的に理解させることができ、作業内容について顧客による信頼度を向上させることができる。
【００２５】
なお、他の例として、外部からネットワーク経由で監視カメラ装置１１ａ或いは不揮発性メモリ４１の記録画像にアクセスすることが可能な構成とすることもできる。一例として、請求書作成用のＰＣ端末装置（請求書発行装置）からネットワーク経由で監視カメラ装置１１ａのＲＡＭ３５や監視カメラ装置１１ａに取り付けられた不揮発性メモリ４１へアクセスして、当該ＲＡＭ３５や当該不揮発性メモリ４１に記憶された画像データを取得する構成とすることもできる。また、当該ＰＣ端末装置が、当該画像データの写真を添付した請求書を自動的に発行するような構成とすることもできる。また、請求書発行機能を監視モニタ装置２１ａに備える構成とすることもできる。
また、例えば、監視カメラ装置１１ａ或いは監視モニタ装置２１ａが、依頼主である顧客により所持される携帯電話端末装置やＰＤＡ（Personal Digital Assistant）端末装置などの携帯端末装置へ撮像した作業状況などの画像（例えば、ライブ映像）を配信するような構成とすることもできる。
【００２６】
また、例えば、それぞれの顧客の個人情報を保護するために、それぞれの顧客に対応した監視カメラ装置１１ａ〜１１ｈや監視モニタ装置２１ａ〜２１ｈにより当該それぞれの顧客の自動車１２ａ〜１２ｈや作業員を映して他の顧客の自動車を映さないようにする構成や、他の顧客の自動車のナンバープレート部分の画像を削除する構成とすることもできる。具体的には、それぞれの監視カメラ装置１１ａ〜１１ｈにより撮像する領域を適当に設定や調整することにより所望の対象のみを撮像することが可能であり、或いは、それぞれの監視カメラ装置１１ａ〜１１ｈにより撮像された画像のデータを処理して所望しない部分を削除や塗りつぶしや差し替えすることにより、所望の対象のみを監視モニタ装置２１ａ〜２１ｈにより表示出力することや、所望の対象のみをＲＡＭ３５や不揮発性メモリ４１に記録することが可能である。
また、ネットワークとしては、種々なものが用いられてもよく、例えば、ＬＡＮや、インターネットなどを用いることができる。
また、本例では、請求書添付用の画像データを不揮発性メモリ４１に記憶する場合を示したが、例えば、請求書添付用の画像データをＲＡＭ３５などの他のメモリに記憶するような構成を用いることも可能である。
【００２７】
以上のように、本例の監視カメラ装置１１ａ〜１１ｈと監視モニタ装置２１ａ〜２１ｈから成る画像伝送装置では、メンテナンス現場に監視カメラ装置１１ａ〜１１ｈを設置して、メンテナンスの作業状況などの画像をリアルタイムで監視モニタ装置２１ａ〜２１ｈへ配信することが可能である。また、メンテナンス作業員などが、部品交換等の重要な場面において、リモコン操作や、声を発する等して、監視カメラ装置１１ａ〜１１ｈに合図を送ると、その際の画像のデータが当該監視カメラ装置１１ａ〜１１ｈに接続された不揮発性メモリ４１に記憶される。また、請求書作成者などは、不揮発性メモリ４１などにアクセスして、当該画像のデータを取得することが可能であり、その写真などを請求書に添付する。
【００２８】
従って、本例のようなメンテナンス時の画像記録方式では、今まで顧客からは見えなかった作業進捗状況や修理部品や交換部品などの画像をリアルタイムで配信して、当該画像を待合室３でモニタリングして、顧客に見せることができ、メンテナンス業における作業状況のグローバル化を行うことができる。また、各修理や各交換が発生した時点で修理や交換前の画像や修理や交換部品の画像などを不揮発性メモリ４１に書き込んで記録することなどにより、顧客に対する請求書作成時に記録した修理や交換部品などの画像を一緒に添付することが簡易にでき、これにより、作業内容を明確にすることができるとともに、顧客への信頼性や顧客の安心度を確保することができる。
【００２９】
ここで、本例では、メンテナンス作業における整備対象として自動車を用いた場合を示したが、本例と同様な構成や動作を、例えば、コンピュータや、家電機器などの種々なものを整備対象とするメンテナンス作業に適用することも可能である。
また、本例では、メンテナンス作業における作業状況や交換部品などの画像を依頼者である顧客により監視や確認するシステムを示したが、本例と同様な構成や動作を、例えば、メンテナンス作業における作業状況や交換部品などの画像をメンテナンス作業を行う者の側で管理するようなシステムに適用することも可能である。
【００３０】
なお、本例では、自動車メンテナンス業の店舗１によりメンテナンス作業提供場が構成されており、整備工場２によりメンテナンス作業場が構成されており、待合室３により依頼者待機場が構成されている。また、自動車１２ａ〜１２ｈによりメンテナンス作業の対象物が構成されている。
また、本例の画像伝送装置は画像処理装置の一例であり、監視カメラ装置１１ａ〜１１ｈにより撮像装置が構成されており、モニタ画面とクライアント操作部から成る監視モニタ装置２１ａ〜２１ｈにより表示装置が構成されている。
また、本例の監視カメラ装置１１ａ〜１１ｈでは、レンズ３１の機能やＡ／Ｄコンバータ３２の機能により画像データ取得手段が構成されており、マイク３７の機能や接点３８の機能や赤外線部３９の機能やＬＡＮドライバ３６の機能により指示入力受付手段が構成されており、ＲＡＭ３５の機能や不揮発性メモリ４１の機能により請求書添付用画像データ記録手段が構成されており、ＬＡＮドライバ３６の機能により画像データ送信手段が構成されており、監視モニタ装置２１ａ〜２１ｈからの画像取得要求を受信する機能により画像データ取得要求受信手段が構成されている。
【００３１】
また、本例の監視モニタ装置２１ａ〜２１ｈでは、監視カメラ装置１１ａ〜１１ｈからの画像データを受信する機能により画像データ受信手段が構成されており、受信された画像データをモニタ画面に表示出力する機能により表示出力手段が構成されており、クライアント操作部により画像データの取得要求（画像取得要求）の入力を受け付ける機能により画像データ取得要求入力受付手段が構成されており、入力された画像取得要求を監視カメラ装置１１ａ〜１１ｈに対して送信する機能により画像データ取得要求送信手段が構成されている。
また、本例では、請求書発行装置などにおいて、監視カメラ装置１１ａ〜１１ｈにより取得された画像のデータを不揮発性メモリ４１やネットワークを介して取得する機能により請求書添付用画像データ取得手段が構成されており、取得された画像データ或いはその写真を添付した請求書を印刷出力する機能により請求書発行手段が構成されている。
また、本例では、監視カメラ装置１１ａ〜１１ｈや監視モニタ装置２１ａ〜２１ｈにおいて、監視カメラ装置１１ａ〜１１ｈにより取得された画像データの一部を削除するなどの加工を行う機能により画像データ加工手段が構成されている。
【００３２】
ここで、本発明に係る画像処理装置や撮像装置（例えば、監視カメラ装置）や表示装置（例えば、監視モニタ装置）などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る画像処理装置や撮像装置（例えば、監視カメラ装置）や表示装置（例えば、監視モニタ装置）などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３３】
【図１】本発明の一実施例に係る画像伝送装置を構成する監視カメラ装置及び監視モニタ装置が設置された自動車メンテナンス業の店舗の様子の一例を示す図である。
【図２】本発明の一実施例に係る画像伝送装置を構成する監視カメラ装置の構成例及び不揮発性メモリの一例を示す図である。
【図３】自動車メンテナンス業の店舗の様子の一例を示す図である。
【符号の説明】
【００３４】
１・・店舗、  ２・・工場、  ３・・待合室、  ４・・窓、  １１ａ〜１１ｈ・・監視カメラ装置、  １２ａ〜１２ｈ・・自動車、  ２１ａ〜２１ｈ・・監視モニタ装置、  ３１・・レンズ、  ３２・・Ａ／Ｄコンバータ、  ３３・・画像圧縮回路、  ３４・・ＣＰＵ、  ３５・・ＲＡＭ、  ３６・・ＬＡＮドライバ、  ３７・・マイク、  ３８・・接点、  ３９・・赤外線部、  ４０・・不揮発性メモリ接続部、  ４１・・不揮発性メモリ、  ａ・・アナログ画像信号、
【図１】
2005255115.tif 000003
【図２】
2005255115.tif 000004
【図３】
2005255115.tif 000005